(57)【要約】【課題】各種機器の使用管理に係り、顔認証によるセキュリティ性能を低下させることなく顔認証に使用される本人顔画像の情報管理を簡易化すること。【解決手段】各種機器７〜９の使用前に、使用者は、入室リーダ３の認証装置にて入力したＩＤ情報と事前登録されたＩＤ情報とを照合する。これらが符号したときにその使用者の顔を第１カメラ１６で撮影し、撮影された顔画像を本人顔画像として入室リーダ３の記憶装置にその日毎に記憶させると共に、電気錠６を解錠させる。管理部屋１の中で、使用者は、各種機器７〜９を使用するときに、第２カメラ３１で顔を撮影し、撮影された顔画像をその日毎に記憶された本人顔画像と照合する。これらが合致するときに、すなわち顔認証ができたときに、各種機器７〜８の制御装置は、その使用者による各種機器７〜９の使用を許可する。【選択図】        図７
2007233916.tif 000002
【特許請求の範囲】
【請求項１】
各種機器の使用を管理するセキュリティシステムであって、
前記各種機器を使用する前に使用者の識別情報を入力するための識別情報入力手段と、
前記識別情報入力手段に前記識別情報を入力した使用者の顔を撮影するための第１撮影手段と、
前記識別情報入力手段により入力された識別情報が事前登録されている本人情報と符合するときに前記第１撮影手段により撮影される顔画像を短期限定で使用される本人顔画像として記憶するための顔画像記憶手段と、
前記使用者が前記各種機器を使用するときに、前記使用者の顔を撮影するための第２撮影手段と、
前記第２撮影手段により撮影される顔画像が前記顔画像記憶手段に記憶された前記本人顔画像と合致すると判定したときに前記使用者による前記各種機器の使用を許可する使用許可手段と
を備えたことを特徴とするセキュリティシステム。
【請求項２】
建物又は部屋の中に設けられた各種機器の使用を管理するセキュリティシステムであって、
建物又は部屋の出入口に設けられる扉と、
前記扉に設けられる電気錠と、
前記建物又は前記部屋に入る前に前記電気錠を操作しようとする使用者の識別情報を入力するための識別情報入力手段と、
前記電気錠を操作しようとする使用者の顔を撮影するための第１撮影手段と、
前記使用者が前記各種機器を使用するときに、前記使用者の顔を撮影するための第２撮影手段と、
前記識別情報入力手段により入力された識別情報が事前登録されている本人情報と符合するときに前記第１撮影手段により撮影される顔画像を短期限定で使用される本人顔画像として記憶するための顔画像記憶手段と、
前記識別情報入力手段により入力された識別情報が事前登録されている本人情報と符合するときに前記電気錠を解錠する解錠制御手段と、
前記建物又は前記部屋に入った前記使用者が前記各種機器を使用するときに、前記第２撮影手段により撮影される顔画像が前記顔画像記憶手段に記憶された前記本人顔画像と合致すると判定したときに前記使用者による前記各種機器の使用を許可する使用許可手段と
を備えたことを特徴とするセキュリティシステム。
【請求項３】
前記建物又は前記部屋から出る前に前記電気錠を操作しようとする使用者が本人であることを識別するための本人識別手段と、
前記使用者が本人であると前記本人識別手段により識別されたときに、前記電気錠を解錠すると共に前記顔画像記憶手段に記憶された前記本人顔画像を無効化する解錠・無効化制御手段と
を更に備えたことを特徴とする請求項２に記載のセキュリティシステム。
【請求項４】
各種機器の使用を管理するセキュリティ方法であって、
前記各種機器を使用する前に使用者の識別情報が事前登録されている本人情報と符号したときに、その使用者の顔を第１撮影手段により撮影し、その撮影された顔画像を短期限定で使用される本人顔画像として顔画像記憶手段に記憶しておき、
前記使用者が前記各種機器を使用するときに、第２撮影手段により前記使用者の顔を撮影し、その撮影された顔画像が前記顔画像記憶手段に記憶された本人顔画像と合致すると判定したときに前記使用者による前記各種機器の使用を許可し、前記撮影された顔画像が前記記憶された本人顔画像と合致しないと判定したときに前記使用者による前記各種機器の使用を許可しない
ことを特徴とするセキュリティ方法。
【発明の詳細な説明】
【技術分野】
【０００１】
この発明は、顔認証により各種機器の使用を管理するセキュリティシステム及びセキュリティ方法に関する。
【背景技術】
【０００２】
従来、この種のシステムとして、例えば、各種機器の使用を処理するための処理装置と、使用者の識別情報（暗証番号、ＩＤ番号、指紋情報等）を入力するための入力装置と、使用者の顔を撮影するためのカメラとを備えたものがある。そして、処理装置は、入力された識別情報と撮影された顔画像とに基づき顔認証を行い、使用者本人であると判定したときに各種機器の使用を許可するようになっている。この種のシステムに使用される顔認証装置の一例として、下記の特許文献１に記載される装置が挙げられる。
【０００３】
ここで、特許文献１には、カメラで撮影した顔画像をデータベース等に事前登録されている本人顔画像と照合することで使用者本人であるか否かを顔認証するようにし、その認証結果に応じてドアの電子錠の施錠又は解錠等を許可する顔認証装置が記載されている。
【０００４】
【特許文献１】特開２００２−１８３７３４号公報
【発明の開示】
【発明が解決しようとする課題】
【０００５】
ところが、特許文献１に記載の顔認証装置では、各使用者の顔画像を本人顔画像としてデータベースに事前登録しておき長期保存していた。従来は、この顔画像の事前登録が、顔認証を行うときとは異なる別の日時に行われており、使用者本人の識別情報と対応させてデータベースに事前に登録されている。ここで、登録された本人顔画像の情報が経年変化したり、使用者本人が眼鏡をかけたりすることで登録された本人顔画像の情報と合わなくなったりすることがある。このような場合に、事前登録された本人顔画像の情報を適宜更新する必要がある。このため、顔認証装置を常に正確に機能させるためには、登録された本人顔画像の情報を定期的に更新するなどの処置が必要となり、本人顔画像の情報管理に手間がかかるという問題があった。また、登録対象者が１００人単位以上の多人数に及ぶときは、本人顔画像の情報管理に更に膨大な手間がかかることになる。
【０００６】
また、登録された本人顔画像の情報管理を軽減するために、本人顔画像の情報更新の機会を少なくする替わりに、顔認証の際の判定基準を甘くすることも考えられる。ここで、顔認証の判定基準に係り、処理装置等における「本人拒否率」や「他人受入率」が問題となる。「本人拒否率」とは、登録した本人が顔認証する際に拒否判定される率を意味する。また、「他人受入率」とは、登録した本人とは別の他人が顔認証する際に誤って許可判定される率を意味する。どちらも、率が低いほど顔認証装置としての性能が高くなる。しかし、判定基準が厳しくなるほど「他人受入率」は低くなるが、「本人拒否率」は高くなる。顔画像の情報管理の手間を少なくするために、判定基準を甘く設定することが考えられるが、この場合には「他人受入率」が高くなり、使用機器のセキュリティ性能が低下することとなり好ましくない。
【０００７】
この発明は上記事情に鑑みてなされたものであって、その目的は、各種機器の使用管理に係り、顔認証によるセキュリティ性能を低下させることなく顔認証に使用される本人顔画像の情報管理を簡易化することを可能としたセキュリティシステム及びセキュリティ方法を提供することにある。
【課題を解決するための手段】
【０００８】
上記目的を達成するために、請求項１に記載の発明は、各種機器の使用を管理するセキュリティシステムであって、各種機器を使用する前に使用者の識別情報を入力するための識別情報入力手段と、識別情報入力手段に識別情報を入力した使用者の顔を撮影するための第１撮影手段と、識別情報入力手段により入力された識別情報が事前登録されている本人情報と符合するときに第１撮影手段により撮影される顔画像を短期限定で使用される本人顔画像として記憶するための顔画像記憶手段と、使用者が各種機器を使用するときに、使用者の顔を撮影するための第２撮影手段と、第２撮影手段により撮影される顔画像が顔画像記憶手段に記憶された前記本人顔画像と合致すると判定したときに使用者による各種機器の使用を許可する使用許可手段とを備えたことを趣旨とする。
【０００９】
上記発明の構成によれば、使用者が各種機器を使用する前に、識別情報入力手段により使用者の識別情報を入力すると共に、その使用者の顔を第１撮影手段により撮影する。このとき、入力された識別情報が事前登録されている本人情報と符合するときに、第１撮影手段により撮影される顔画像が短期限定で使用される本人顔画像として顔画像記憶手段に記憶される。その後、使用者が目的の各種機器を使用するときに、第２撮影手段により使用者の顔を撮影する。このとき撮影される顔画像が顔画像記憶手段に記憶された本人顔画像と合致すると判定したときには、使用許可手段が使用者による各種機器の使用を許可する。ここで、「短期」とは、例えば、一日〜数日ほどの期間を意味する（以下において同じ。）。従って、顔画像記憶手段には、各種機器の使用を希望する使用者の本人顔画像が短期限定で使用される情報として記憶されるだけなので、その限定された短期の間に使用しない使用者の本人顔画像については記憶しておく必要がない。また、顔画像記憶手段には、短期限定で使用される本人顔画像が記憶されるので、常に最新で最適な顔画像が本人顔画像として顔画像記憶手段に記憶される。更に、正規の使用者は、限定された短期の最初に本人顔画像を記憶することで、その限定された短期の間は、第２撮影手段により顔画像を撮影するだけで各種機器の使用が可能となる。
【００１０】
上記目的を達成するために、請求項２に記載の発明は、建物又は部屋の中に設けられた各種機器の使用を管理するセキュリティシステムであって、建物又は部屋の出入口に設けられる扉と、扉に設けられる電気錠と、建物又は部屋に入る前に電気錠を操作しようとする使用者の識別情報を入力するための識別情報入力手段と、電気錠を操作しようとする使用者の顔を撮影するための第１撮影手段と、使用者が各種機器を使用するときに、使用者の顔を撮影するための第２撮影手段と、識別情報入力手段により入力された識別情報が事前登録されている本人情報と符合するときに第１撮影手段により撮影される顔画像を短期限定で使用される本人顔画像として記憶するための顔画像記憶手段と、識別情報入力手段により入力された識別情報が事前登録されている本人情報と符合するときに電気錠を解錠する解錠制御手段と、建物又は部屋に入った使用者が各種機器を使用するときに、第２撮影手段により撮影される顔画像が顔画像記憶手段に記憶された本人顔画像と合致すると判定したときに使用者による各種機器の使用を許可する使用許可手段とを備えたことを趣旨とする。
【００１１】
上記発明の構成によれば、建物又は部屋に入る前に電気錠を操作しようとする使用者は、識別情報入力手段により使用者の識別情報を入力すると共に、その使用者の顔を第１撮影手段により撮影する。このとき、入力された識別情報が事前登録されている本人情報と符合するときに、第１撮影手段により撮影される顔画像が短期限定で使用される本人顔画像として顔画像記憶手段に記憶されると共に、解錠制御手段により電気錠が解錠される。その後、建物又は部屋に入った使用者が目的の各種機器を使用するときに、第２撮影手段により使用者の顔を撮影する。このとき撮影される顔画像が顔画像記憶手段に記憶された本人顔画像と合致すると判定したときには、使用許可手段が使用者による各種機器の使用を許可する。従って、顔画像記憶手段には、各種機器の使用を希望する使用者の本人顔画像が短期限定で使用される情報として記憶されるだけなので、その限定された短期の間に使用しない使用者の本人顔画像について記憶しておく必要がない。また、顔画像記憶手段には、短期限定で使用される本人顔画像が記憶されるので、常に最新で最適な顔画像が本人顔画像として顔画像記憶手段に記憶される。更に、正規の使用者は、限定された短期の最初に扉を開けるべく電気錠を操作するときに本人顔画像を記憶することで、その限定された短期の間は、第２撮影手段により顔を撮影するだけで各種機器の使用が可能となる。加えて、各種機器を設けた建物又は部屋の中への使用者の入室が、識別情報の照合と顔の撮影により制限を受けることとなる。
【００１２】
上記目的を達成するために、請求項３に記載の発明は、請求項２に記載の発明において、建物又は部屋から出る前に電気錠を操作しようとする使用者が本人であることを識別するための本人識別手段と、使用者が本人であると本人識別手段により識別されたときに、電気錠を解錠すると共に顔画像記憶手段に記憶された本人顔画像を無効化する解錠・無効化制御手段とを更に備えたことを趣旨とする。
【００１３】
上記発明の構成によれば、請求項２に記載の発明の作用に加え、建物又は部屋から出る前に電気錠を操作しようとする使用者が本人であると本人識別手段により識別されることにより、解錠・無効化制御手段により電気錠が解錠されると共に顔画像記憶手段に記憶された本人顔画像が無効化される。従って、扉が開いて使用者が建物又は部屋から出られるようになり、これに合わせて顔画像記憶手段に記憶された本人顔画像が使えなくなり、第２撮影手段で顔を撮影することによる各種機器の使用ができなくなる。
【００１４】
上記目的を達成するために、請求項４に記載の発明は、各種機器の使用を管理するセキュリティ方法であって、各種機器を使用する前に使用者の識別情報が事前登録されている本人情報と符号したときに、その使用者の顔を第１撮影手段により撮影し、その撮影された顔画像を短期限定で使用される本人顔画像として顔画像記憶手段に記憶しておき、使用者が各種機器を使用するときに、第２撮影手段により使用者の顔を撮影し、その撮影された顔画像が顔画像記憶手段に記憶された本人顔画像と合致すると判定したときに使用者による各種機器の使用を許可し、撮影された顔画像が記憶された本人顔画像と合致しないと判定したときに使用者による各種機器の使用を許可しないことを趣旨とする。
【００１５】
上記発明の構成によれば、顔画像記憶手段には、各種機器の使用を希望する使用者の本人顔画像が短期限定で使用される情報として記憶されるだけなので、その限定された短期の間に使用しない使用者の本人顔画像については記憶しておく必要がない。また、顔画像記憶手段には、短期限定で使用される本人顔画像が記憶されるので、常に最新で最適な顔画像が本人顔画像として顔画像記憶手段に記憶される。更に、正規の使用者は、限定された短期の最初に本人顔画像を記憶することで、その限定された短期の間は、第２撮影手段により顔画像を撮影するだけで各種機器の使用が可能となる。
【発明の効果】
【００１６】
請求項１に記載の発明によれば、各種機器の使用管理に係り、顔認証によるセキュリティ性能を確保することができ、顔認証に使用される本人顔画像の情報管理を簡易化することができる。
【００１７】
請求項２に記載の発明によれば、各種機器の使用管理に係り、顔認証によるセキュリティ性能を確保することができ、顔認証に使用される本人顔画像の情報管理を簡易化することができる。また、各種機器を設けた建物又は部屋の中への使用者の入室が制限される分だけ、セキュリティ性能を向上させることができる。
【００１８】
請求項３に記載の発明によれば、請求項２に記載の発明の効果に加え、使用者は建物又は部屋の中に居るときに限定して各種機器を使用できるだけとなり、各種機器のセキュリティ性能を更に向上させることができる。
【００１９】
請求項４に記載の発明によれば、各種機器の使用管理に係り、顔認証によるセキュリティ性能を確保することができ、顔認証に使用される本人顔画像の情報管理を簡易化することができる。
【発明を実施するための最良の形態】
【００２０】
［第１実施形態］
以下、本発明のセキュリティシステム及びセキュリティ方法を具体化した第１実施形態につき図面を参照して詳細に説明する。
【００２１】
図１に、ある建物の中の管理部屋１を斜視図により示す。この実施形態で、管理部屋１の出入口２には、入室リーダ３及び退室リーダ４が設けられる。出入口２の扉５には、電気錠６が設けられる。管理部屋１の中には、顔認証貴重品ロッカー７、顔認証金庫８及び顔認証書庫９が設置される。これら顔認証貴重品ロッカー７、顔認証金庫８及び顔認証書庫９は、本発明の各種機器に相当する。これら顔認証貴重品ロッカー７、顔認証金庫８及び顔認証書庫９は、「顔認証」の機能を備える。ここで、「顔認証」とは、事前に登録された本人顔画像と撮影された顔画像とを照合する機能を意味する。
【００２２】
図２に、入室リーダ３を正面図により示す。この入室リーダ３は、メインケース１１の正面に、テンキーよりなる入力装置１２、注目ランプよりなる第１表示部１３、ＯＫ・エラーランプよりなる第２表示部１４、非接触式のＩＣカードリーダよりなる個人認証装置１５、一つの第１カメラ１６及び複数の赤外線ライト１７ａ〜１７ｄを備え、メインケース１１とは別に設けられるサブケース１８に制御装置１９及び記憶装置２０を備える。
【００２３】
入室リーダ３の第１カメラ１６は、管理部屋１に入る前に、扉５を開けるべく電気錠６を操作しようとする使用者の顔を撮影するために使用される。この第１カメラ１６はメインケース１１のほぼ中央に配置され、各赤外線ライト１７ａ〜１７ｄは、第１カメラ１６を中心としてメインケース１１の四隅に配置される。第１カメラ１６のレンズの前には帯域フィルタ（図示略）が設けられる。この帯域フィルタは、太陽光が含む幅広い波長範囲の近赤外線光のうち、特定波長のみが通るようにすることで余分な光を最小限にするために使われる。ここで、メインケース１１の向かって右側の二つの赤外線ライト１７ａ，１７ｂを「メインライト」と総称し、向かって左側の二つの赤外線ライト１７ｃ，１７ｄを「セカンドライト」と総称する。各赤外線ライト１７ａ〜１７ｄは、第１カメラ１６の近傍にて互いに異なる方向から使用者の顔へ赤外線を照射するようになっている。従って、メインライト１７ａ，１７ｂは、使用者の右側から赤外線を照射し、セカンドライト１７ｃ，１７ｄは、使用者の左側から赤外線を照射することになる。ここで、入室リーダ３の第１カメラ１６、複数の赤外線ライト１７ａ〜７ｄ及び制御装置１９は、本発明の第１撮影手段を構成する。
【００２４】
個人認証装置１５は、管理部屋１へ入室しようとする使用者が携帯するＩＣカードに記録された本人の識別情報（本人のＩＤ情報）を読み取るために使用される。ＩＤ情報として、例えば、使用者本人の登録番号等が含まれる。個人認証装置１５は、ＩＣカードから発信される信号を受信するアンテナ（図示略）を有する。個人認証装置１５は、ＩＣカードが近付けられることにより、そのカードに記録されたＩＤ情報を含む信号をアンテナで受信してＩＤ情報を読み取る。入室リーダ３の個人認証装置１５は、本発明の識別情報入力手段に相当する。
【００２５】
入力装置１２は、使用者本人の暗証番号等を入力するために使用される。入室リーダ３の入力装置１２は、本発明の識別情報入力手段に相当する。各表示部１３，１４は、使用者に指示や情報を与えるために点灯する。第１表示部１３は、撮影時に使用者をカメラ１６に注視させるために点灯するようになっている。
【００２６】
制御装置１９は、電気錠６の施錠又は解錠を制御する。入室リーダ３の制御装置１９は、本発明の解錠制御手段に相当する。記憶装置２０は、制御プログラムや個人認証のためのＩＤ情報等を事前に記憶すると共に、入力されたＩＤ情報等と、第１カメラ１６により撮影された顔画像とを履歴情報として記録する。入室リーダ３の記憶装置２０は、本発明の顔画像記録手段に相当する。退室リーダ４の基本構成は、この入室リーダ３のそれに準ずることから説明を省略する。ただし、退室リーダ４のカメラ、複数の赤外線ライト及び制御装置は、本発明の第１撮影手段を構成するものではない。両リーダ３，４は、共通する一つの電気錠６の施錠又は解錠を制御するようになっている。従って、この実施形態では、入室リーダ３と電気錠６、並びに、退室リーダ４と電気錠６のそれぞれが錠前装置を構成する。
【００２７】
管理部屋１に設けられた顔認証貴重品ロッカー７、顔認証金庫８及び顔認証書庫９のうち、その代表として顔認証書庫９の構成について詳しく説明する。図３に、顔認証書庫９を正面図により示す。顔認証書庫９は、複数の保管部２１を含むキャビネット２２と、そのキャビネット２２の正面に設けられた操作パネル２３と、キャビネット２２の内部に設けられた制御装置２４及び記憶装置２５とを備える。各保管部２１の扉（「引き出し」を含む。）２６には、それぞれ電気錠２７が設けられる。操作パネル２３は、タッチパネルディスプレイよりなる表示部２８及び入力装置２９、非接触式のＩＣカードリーダよりなる個人認証装置３０、一つの第２カメラ３１及び複数の赤外線ライト３２ａ〜３２ｄを含む。
【００２８】
第２カメラ３１は、使用者が当該書庫９を使用するときに、その使用者の顔を撮影するために使用される。第２カメラ３１は操作パネル２３のほぼ中央に配置され、各赤外線ライト３２ａ〜３２ｄは、第２カメラ３１を中心とした四方に配置される。ここで、操作パネル２３の向かって右側の二つの赤外線ライト３２ａ，３２ｂを「メインライト」と総称し、向かって左側の二つの赤外線ライト３２ｃ，３２ｄを「セカンドライト」と総称する。各赤外線ライト３２ａ〜３２ｄは、第２カメラ３１の近傍にて互いに異なる方向から使用者の顔へ赤外線を照射するようになっている。従って、メインライト３２ａ，３２ｂは、使用者の右側から赤外線を照射し、セカンドライト３２ｃ，３２ｄは、使用者の左側から赤外線を照射することになる。ここで、第２カメラ３１、複数の赤外線ライト３２ａ〜３２ｄ及び制御装置２４は、本発明の第２撮影手段を構成する。
【００２９】
個人認証装置３０は、この書庫９の使用者が携帯するＩＣカードに記録された本人のＩＤ情報を読み取るために使用され、その基本構成は、上記した入室リーダ３のそれに準ずる。ただし、この実施形態では、原則的には、この書庫９を使用するために個人認証装置３０を使用する必要がない。入力装置２９は、使用者本人の暗証番号等を入力するために使用される。表示部２８は、入力した識別情報や暗証番号、必要なメッセージを表示する。
【００３０】
制御装置２４は、各保管部２１の電気錠２７の施錠又は解錠を制御する。制御装置２４は、本発明の使用許可手段に相当する。記憶装置２５は、制御プログラムや個人認証のためのＩＤ情報等を事前に記憶すると共に、入力されたＩＤ情報と、第２カメラ３１により撮影された顔画像とを履歴情報として記録する。また、記憶装置２５は、入室リーダ３の記憶装置２０に記憶された本人顔画像を、入室リーダ３からの送信を受けて記憶することができるようになっている。従って、この記憶装置も、本発明の顔画像記憶手段に相当する。顔認証貴重品ロッカー７及び顔認証金庫８の基本構成は、この顔認証書庫９のそれに準ずることから説明を省略する。従って、この実施形態では、顔認証貴重品ロッカー７、顔認証金庫８及び顔認証書庫９のそれぞれが、顔認証機能のにより操作可能となっている。
【００３１】
図４に、入室リーダ３及び退室リーダ４に係る電気的構成をブロック図により示す。この実施形態で、これらリーダ３，４は、ユーザーインターフェース４１、制御装置１９及び記憶装置２０を基本構成として備える。ユーザインターフェース４１は、入力装置１２、表示部１３，１４、個人認証装置１５、第１カメラ１６及び複数の赤外線ライト１７ａ〜１７ｄを含む。制御装置１９は、制御部１９ａ及び判断部１９ｂを含む。記憶装置２０は、履歴情報の記憶部２０ａ、権限情報の記憶部２０ｂ及びログイン、ログアウト情報の記憶部２０ｃを含む。制御部１９ａには、入力装置１２、表示部１３，１４、個人認証装置１５、第１カメラ１６及び各赤外線ライト１７ａ〜１７ｄが接続される。制御部１９ａは、各赤外線ライト１７ａ〜１７ｄを発光させると共に、その発光タイミングに合わせて第１カメラ１６に撮影を行わせるようになっている。制御部１９ａには、扉５に設けられた電気錠６とマグネットスイッチ４２が接続される。マグネットスイッチ４２は、扉５の開閉を検知するためのものであり、この実施形態では、電気錠６に一体的に組み付けられる。
【００３２】
図５に、顔認証書庫９に係る電気的構成をブロック図により示す。顔認証書庫９は、ユーザーインターフェース４３、制御装置２４及び記憶装置２５を基本構成として備える。ユーザインターフェース４３は、表示部２８、入力装置２９、個人認証装置３０、第２カメラ３１及び複数の赤外線ライト３２〜３２ｄを含む。制御装置２４は、制御部２４ａ及び判断部２４ｂを含む。記憶装置２５は、履歴情報の記憶部２５ａ、権限情報の記憶部２５ｂ及びログイン、ログアウト情報の記憶部２５ｃを含む。制御部２４ａには、表示部２８、入力装置２９、個人認証装置３０、第２カメラ３１及び各赤外線ライト３２ａ〜３２ｄが接続される。制御部２４ａは、各赤外線ライト３２ａ〜３２ｄを発光させると共に、その発光タイミングに合わせて第２カメラ３１に撮影を行わせるようになっている。制御部２４ａには、各保管部２１に設けられた電気錠２７とマグネットスイッチ４４が接続される。マグネットスイッチ４４は扉２６の開閉を検知するためのものであり、この実施形態では、電気錠２７に一体的に組み付けられる。
【００３３】
図６に、この実施形態のセキュリティシステムの全体をブロック図により示す。入室リーダ３、退室リーダ４、顔認証貴重品ロッカー７、顔認証金庫８及び顔認証書庫９は、ＬＡＮ（ローカル・エリア・ネットワーク）５０により相互通信可能に接続される。図７に、セキュリティシステムを構成するこれらの機器３，４，７〜９の配置及び接続の関係を概略図により示す。図７から分かるように、この実施形態では、管理部屋１の中に設けた各種機器７〜９を使用するために入室リーダ３を操作して電気錠４を解錠する必要があり、その入室リーダ３を操作するときに第１カメラ１６により使用者の顔を撮影し、その顔画像を本人顔画像として入室リーダ３の記憶装置２０に記憶するようになっている。その後、その操作により電気錠４を解錠し、扉５を開けて管理部屋１の中に入った使用者は、各種機器７〜９を使用するために、個々の機器７〜９に設けられる第２カメラ３１により自分の顔を撮影して顔認証するようになっている。この顔認証の結果、本人と判定された場合に個々の機器７〜９の使用が許可されるようになっている。
【００３４】
ここで、入室リーダ３の制御装置１９が実行する制御内容について、図８に示すフローチャートを参照して説明する。
【００３５】
処理がこのルーチンへ移行すると、ステップ１００で、制御装置１９は、個人認証装置１５により入力されたＩＣカードのＩＤ情報を読み取る。
【００３６】
次に、ステップ１１０で、制御装置１９は、ＩＤ情報の認証処理を行う。すなわち、入力されたＩＤ情報と、記憶装置２０に事前登録された本人のＩＤ情報とを照合する。
【００３７】
次に、ステップ１２０で、制御装置１９は、入力されたＩＤ情報と、事前登録された本人のＩＤ情報とが符合するか否か、すなわち、認証できたか否かを判断する。ステップ１２０で、認証できなかった場合は、制御装置１９は、処理をステップ１８０，１９０へ移行する。そして、ステップ１８０で、制御装置１９は、表示部１４に、認証できなかったことを示すエラー表示を行わせる。続いて、ステップ１９０で、制御装置１９は、エラー操作があったことを履歴情報として記憶装置２０に記録し、その後の処理をいったん終了する。
【００３８】
一方、ステップ１２０で、認証できた場合は、ステップ１３０で、制御装置１９は、顔撮影処理を実行する。すなわち、制御装置１９は、各赤外線ライト１７ａ〜１７ｄを発光させると共に、その発光タイミングに合わせて第１カメラ１６に撮影を行わせる。
【００３９】
次に、ステップ１３５で、制御装置１９は、撮影された顔画像が人間の顔であるか否かを判断する。この判断結果が否定である場合、制御装置１９は、ステップ１８０，１９０へ移行して上記したエラー処理を行う。一方、ステップ１３５の判断結果が肯定である場合、制御装置１９は処理をステップ１４０へ移行する。
【００４０】
そして、ステップ１４０で、制御装置１９は、第１カメラ１６により撮影された顔画像を短期限定で使用される本人顔画像としてＩＤ情報と対応させて記憶装置２０に記憶する。つまり、制御装置１９は、第１カメラ１６で撮影して得られた本人顔画像等の情報を、短期限定で使用される情報として記憶装置２０に記憶するようになっている。ここで、「短期」とは、例えば、一日〜数日ほどの期間を意味するが、個々では、使用日の当日を「短期」として設定するものとする。従って、記憶された本人顔画像等の情報は、撮影当日に限って有効に取り扱われ、翌日以降は無効化されるようになっている。例えば、この記憶された情報を翌日には自動的に記憶装置２０から消去するようにしてもよい。この本人顔画像とＩＤ情報は、正規の操作により電気錠４の解錠を操作した使用者であることを示す履歴情報として記憶装置２０に記憶され、後に必要に応じて参照される。
【００４１】
そして、ステップ１５０で、制御装置１９は、扉５の電気錠６を解錠する。その後、ステップ１６０で、制御装置１９は、扉５が開閉するのを待つ。すなわち、制御装置１９は、電気錠６を解錠した後、扉５が開けられ、再び閉められたか否かをマグネットスイッチ４２の検知結果に基づき判断する。この判断結果が肯定である場合、ステップ１７０で、制御装置１９は、扉５の電気錠６を施錠してすべての処理を一旦終了する。
【００４２】
次に、各種機器７〜９の制御装置２４が実行する制御内容について、図９に示すフローチャートを参照して説明する。この制御は、管理部屋１の中に入った使用者が、各種機器７〜９を使用するときに実行されるものである。
【００４３】
処理がこのルーチンへ移行すると、ステップ２００で、制御装置２４は、使用者による撮影開始操作を待ってステップ２１０へ移行する。制御装置２４は、この判断を、使用者が行う入力装置２９の操作に基づいて行う。
【００４４】
ステップ２１０で、制御装置２４は、顔撮影処理を実行する。すなわち、制御装置２４は、各赤外線ライト３２ａ〜３２ｄを発光させると共に、その発光タイミングに合わせて第２カメラ３１に撮影を行わせる。
【００４５】
次に、ステップ２２０で、制御装置２４は、本人顔画像との照合処理を行う。すなわち、今回撮影された顔画像と、入室リーダ３の記憶装置２０に記憶されている本人顔画像とを照合する。ここで、入室リーダ３の記憶装置２０に記憶されている本人顔画像は、当該各種機器７〜９に転送され、その記憶装置２５に一旦記憶させてから参照することもできる。
【００４６】
次に、ステップ２３０で、制御装置２４は、顔認証ができたか否か、すなわち、撮影された顔画像と本人顔画像とが符合するか否かを判断する。ステップ２３０で、顔認証できなかった場合は、制御装置２４は、処理をステップ２７０，２８０へ移行する。そして、ステップ２７０で、制御装置２４は、表示部２８に、顔認証できなかったことを示すエラー表示を行わせる。続いて、ステップ２８０で、制御装置２４は、エラー操作があったことを履歴情報として記憶装置２５に記録し、その後の処理を一旦終了する。
【００４７】
一方、ステップ２３０で、認証できた場合は、ステップ２４０で、制御装置２４は、当該機器７〜８の使用を許可する。すなわち、この場合に、使用者の操作に応じて当該機器７〜９における電気錠２７の解錠を許容する。
【００４８】
その後、ステップ２４０で、制御装置２４は、当該機器７〜９の使用が終了するのを待つ。すなわち、この場合に、制御装置２４は、電気錠２７を解錠した後、扉２６が開けられ、再び閉められたか否かをマグネットスイッチ４４の検知結果に基づき判断する。この判断結果が肯定である場合、ステップ２６０で、制御装置２４は、当該機器７〜９の使用を禁止する。すなわち、この場合に、扉２６の電気錠２７を施錠してすべての処理を一旦終了する。
【００４９】
つまり、この実施形態では、各種機器７８〜９の使用を管理するセキュリティシステムにおいて、以下のようなセキュリティ方法を採用している。すなわち、各種機器７〜９を使用する前に、使用者が入室リーダ３を操作して入力したＩＤ情報が、事前登録されている本人のＩＤ情報と符号したときに、その使用者の顔を第１カメラ１６により撮影し、その撮影された顔画像を当日限定で使用される本人顔画像として記憶装置２０に記憶しておく。その後、その使用者が各種機器７〜９を使用するときに、第２カメラ３１により使用者の顔を撮影し、その撮影された顔画像が記憶装置２０に記憶された本人顔画像と照合して合致すると判定したとき、すなわち顔認証ができたときに、その使用者による各種機器７〜９の使用を許可する。一方、撮影された顔画像が記憶された本人顔画像と合致しないと判定したとき、すなわち顔認証ができなかったときには、その使用者による各種機器７〜９の使用を許可しないようにする。
【００５０】
以上説明したこの実施形態のセキュリティシステム及びセキュリティ方法によれば、各種機器７〜９を使用する前に、管理部屋１の扉５の電気錠６を操作しようとする使用者は、入室リーダ３の入力装置１２及び個人認証装置１５により使用者のＩＤ情報を入力すると共に、その使用者の顔を第１カメラ１６により撮影する。このとき、入力されたＩＤ情報が入室リーダ３の記憶装置２０に事前登録されている本人のＩＤ情報と符合するときに、第１カメラ１６により撮影される顔画像が当日限定で使用される本人顔画像として記憶装置２０に記憶されると共に、制御装置１９により電気錠６が解錠される。その後、管理部屋１の中に入った使用者が目的の各種機器７〜９を使用するときに、当該機器７〜９に備え付けた第２カメラ３１により使用者の顔を撮影する。このとき撮影される顔画像が、入室リーダ３の記憶装置２０に記憶された本人顔画像と合致すると判定したとき、すなわち、顔認証ができたときには、当該機器７〜９の制御装置２４が使用者による当該機器７〜９の使用を許可することとなる。
【００５１】
従って、この実施形態のセキュリティシステム及びセキュリティ方法によれば、入室リーダ３の記憶装置２０には、各種機器７〜９の使用を希望する使用者の本人顔画像が当日限定で使用される情報として記憶されるだけなので、当日に使用しない使用者の本人顔画像については記憶しておく必要がない。このため、膨大な量の本人顔画像に係る情報を記憶装置２０に事前に登録しておく必要がなく、その膨大な情報を管理する必要もない。このことは、各種機器７〜９の使用者が１００人単位以上の多人数に及ぶときでも、膨大な量の本人顔画像の情報を管理する必要がないことを意味する。また、記憶装置２０には、当日に使用される本人顔画像が記憶されるので、常に最新で最適な顔画像が本人顔画像として記憶装置２０に記憶される。このため、記憶装置２０に記憶された本人顔画像情報の劣化を危ぐする必要がなく、使用者本人の顔の様相が眼鏡装着等の理由により変化したとしても、事前登録された情報を更新するという管理の必要がない。このような意味で、顔認証に使用される本人顔画像の情報管理を簡易化することができる。
【００５２】
また、この実施形態では、常に最新の顔画像を顔認証のための本人顔画像として使用できるので、顔認証の判定基準を甘く設定する必要がない。すなわち、顔認証の判定基準を厳しく設定することができ、これにより「本人拒否率」や「他人受入率」が低くなって、各種機器７〜９の使用に関するセキュリティ性能を確保又は向上させることができる。すなわち、この実施形態のセキュリティシステム及びセキュリティ方法によれば、各種機器７〜９の使用管理に係り、顔認証によるセキュリティ性能を低下させることなく顔認証に使用される本人顔画像の情報管理を簡易化することができるのである。
【００５３】
更に、この実施形態で、正規の使用者は、当日の最初に、扉５を開けるべく電気錠６を操作するときに顔を第１カメラ１６で撮影して本人顔画像を記憶装置２０に記憶することで、管理部屋１に入った後のその当日は、各種機器７〜９の第２カメラ３１により顔を撮影するだけで当該機器７〜９の使用が可能となる。このため、使用者は、各種機器７〜９の使用に際して、顔認証を行うだけの簡単な操作で当該機器７〜９を使用することができる。
【００５４】
また、この実施形態では、各種機器７〜９を設けた管理部屋１の中への使用者の入室が、入室リーダ３によるＩＤ情報の照合と、使用者の顔撮影により制限を受けることとなる。すなわち、使用者が入室リーダ３により、ＩＤ情報を照合して顔を撮影しなければ、管理部屋１へ入ることもできず、各種機器７〜９を使用することもできない。この意味で、各種機器７〜９の使用管理に係り、セキュリティを二重にかけることができ、セキュリティ性能を向上させることができる。また、管理部屋１への入室前に顔を撮影しなかった人は、入室後に各種機器７〜９を使うことができないので、実質的な共連れ防止機能を得ることができ、この意味でもセキュリティ性能を向上させることができる。
【００５５】
［第２実施形態］
次に、本発明のセキュリティシステムを具体化した第２実施形態について説明する。この実施形態では、前記第１実施形態の内容に加え、使用者が管理部屋１を出ようとするときに、退室リーダ４を使用して以下のような制御を実行するようになっている。
【００５６】
すなわち、退室リーダ４及びその制御装置を、管理部屋１から出る前に電気錠６を操作しようとする使用者が本人であることを識別するための本発明の本人識別手段として設ける。また、同じく、退室リーダ４の制御装置を、使用者が本人であると識別されたときに、電気錠６を解錠すると共に入室リーダ３の記憶装置２０に記憶された本人顔画像を無効化する解錠・無効化制御手段として設ける。
【００５７】
ここで、退室リーダ４の個人認証装置により使用者が本人であることを識別するようにしたり、退室リーダ４のカメラで撮影した使用者の顔画像を本人顔画像と照合することで使用者が本人であることを識別するようにしたり、これら二つの機能を組み合わせることで使用者が本人であることを識別するようにしたりしてもよい。また、本人顔画像を無効化することとしては、記憶装置２０から本人顔画像の情報を消去したり、記憶装置２０に記憶された本人顔画像の情報を参照不能にしたりしてもよい。
【００５８】
上記構成により、管理部屋１から出る前に電気錠６を操作しようとする使用者が本人であると退室リーダ４により識別されると、退室リーダ４の制御装置により電気錠６が解錠されると共に、入室リーダ３の記憶装置２０に記憶された本人顔画像が無効化される。これにより、扉５が開いて使用者が管理部屋１から出られるようになり、これに合わせて入室リーダ３の記憶装置２０に記憶された本人顔画像が使えなくなり、第２カメラ３１で顔を撮影することで各種機器７〜９を使用することができなくなる。この結果、使用者は管理部屋１の中に居るときに限って各種機器７〜９を使用できるだけとなり、各種機器７〜９のセキュリティ性能を更に向上させることができる。
【００５９】
なお、この発明は前記各実施形態に限定されるものではなく、発明の趣旨を逸脱することのない範囲で以下のように実施することもできる。
【００６０】
（１）前記各実施形態では、短期限定の「短期」を当日（一日）としたが、この「短期」を「数日」としてもよい。あるいは、この「短期」を、使用者が管理部屋１に入る前に入室リーダ３を使用して電気錠６を解錠したときから管理部屋１を出る前に退室リーダ４を使用して再び電気錠６を解錠するまでの時間としたり、その当日の所定の「数時間」としたりしてもよい。
【００６１】
（２）前記各実施形態では、図７に示すように、本発明の各種機器としての顔認証貴重品ロッカー７、顔認証金庫８及び顔認証書庫９を使用するために入室リーダ３を操作して電気錠４を解錠する必要があり、その入室リーダ３を操作するときに第１カメラ１６により使用者の顔を撮影し、その顔画像を本人顔画像として入室リーダ３（記憶装置２０）に記憶する。その後、その操作により電気錠４を解錠し、扉５を開けて管理部屋１の中に入った使用者は、各種機器７〜９を使用するために、個々の機器７〜９に設けられる第２カメラ３１により自分の顔を撮影して顔認証するようになっている。
これに対し、図１０に示すように、入室リーダ３と退室リーダ４にも第２カメラ３１を設けて、顔認証貴重品ロッカー７、顔認証金庫８及び顔認証書庫９と同様に本発明の各種機器に含めると共に、入室リーダ３とは別に専用リーダ１０を設ける。そして、使用者は、専用リーダ１０を使用してＩＤ情報の照合を行うと共に、第１カメラ１６で撮影した顔画像を当日限定で使用される本人顔画像として記憶するように構成する。この場合、使用者は、専用リーダ１０により本人顔画像を記憶した後は、入室リーダ３、退室リーダ４及びその他の各種機器７〜９の使用に際して、第２カメラ３１で顔を撮影して顔認証を行うだけで、当該機器３，４，７〜９を使用することができる。また、この場合、本発明の短期限定の「短期」を、「当日限定」ではなく、使用者が最初に専用リーダ１０を使用して本人顔画像を記憶してから、管理部屋１を出る前に退室リーダ４を使用して電気錠６を解錠するまでの時間又は使用者が再び専用リーダ１０を使用して本人顔画像の情報を無効化するまでの時間としてもよい。
【００６２】
（３）また、図１１に示すように、出入口２から扉５及び電気錠６を省略すると共に、入室リーダ３及び退室リーダ４を省略して、管理部屋１の中又は外に第１カメラ１６を備えた専用リーダ１０を設ける。そして、使用者は、専用リーダ１０を使用してＩＤ情報の照合を行う共に、第１カメラ１６で撮影した顔画像を当日限定で使用される本人顔画像として記憶するように構成する。この場合、使用者は、管理部屋１に自由に出入りすることができ、専用リーダ１０により本人顔画像を記憶した後は、各種機器７〜９の使用に際して、第２カメラ３１で顔を撮影して顔認証を行うだけで当該機器７〜９を使用することができる。また、この場合、本発明の短期限定の「短期」を、「当日限定」ではなく使用者が最初に専用リーダ１０を使用して本人顔画像を記憶してから再び専用リーダ１０を使用して本人顔画像の情報を無効化するまでの時間としてもよい。
【００６３】
（４）あるいは、図１１において、専用リーダ１０を省略するとともに、各種機器７〜９のそれぞれに使用前のＩＤ情報の認証機能を与えると共に、当該機器７〜９の第２カメラ３１を第１カメラとしても機能可能に構成する。そして、使用者は、各種機器７〜９を使用する前に、各種機器７〜９の操作パネル２３を使用してＩＤ情報の照合を行う共に、各種機器７〜９に設けた第２カメラ３１を第１カメラとして使用して使用者の顔を撮影し、その顔画像を当日限定で使用される本人顔画像として記憶するように構成する。この場合、使用者は、管理部屋１に自由に出入りすることができ、各種機器７〜９の何れによっても本人顔画像を記憶させることができ、その後は、各種機器７〜９の使用に際して、第２カメラ３１で顔を撮影して顔認証を行うだけで当該機器７〜９を使用することができる。また、この場合、本発明の短期限定の「短期」を、「当日限定」ではなく使用者が最初に各種機器７〜９を使用して本人顔画像を記憶してから再び各種機器７〜９を使用して本人顔画像の情報を無効化するまでの時間としてもよい。
【００６４】
（５）あるいは、管理部屋に設けた入室リーダ、退室リーダ及び各種機器は、通常のＩＤ情報等の認証に基づいて使用が許容されるものとする。これに加え、管理部屋の中に更に管理される小部屋を設け、この小部屋の出入口に前記各実施形態の入室リーダ３及び退室リーダ４と同機能の入室リーダ及び退室リーダを設け、その小部屋の中に顔認証のみにより使用できる顔認証金庫等の各種機器を設けてもよい。この場合、管理部屋の中の設けた小部屋の中の各種機器だけを顔認証のみにより使用することができ、二重のセキュリティ性能を確保することができる。
【００６５】
（６）前記各実施形態では、各種機器として、顔認証貴重品ロッカー７、顔認証金庫８及び顔認証書庫９を設けたが、パソコン、ファクシミリ及びコピー装置等の事務用機器や各種製造装置等を各種機器として設けることもできる。
【００６６】
（７）前記各実施形態では、本人の識別情報を入力する入力手段として、ＩＣカードに記録されたＩＤ情報を読み取る個人認証装置１５，３０と、使用者本人の暗証番号等を入力する入力装置１２，２９とを設けたが、これら装置に代わり、又は、これら装置に加えて、指紋情報や声紋情報等の身体情報を本人の識別情報として入力するための指紋読取装置や音声入力装置等を入力手段として設けてもよい。
【００６７】
（８）前記各実施形態では、本発明を、建物の管理部屋１の中に設けられた各種機器７〜９の使用を管理するセキュリティシステムについて具体化したが、本発明を、部屋の有無にかかわらず建物の中に設けられた各種機器の使用を管理するセキュリティシステムに具体化することもできる。例えば、前記各実施形態で説明した入室リーダ３及び退室リーダ４と同機能の入室リーダ及び退室リーダを建物の通用口に設けて通用口の扉の電気錠を制御すると共に、建物に入ろうとする使用者の顔画像を入室リーダの第１カメラにより撮影して本人顔画像として記憶し、建物から出ようとする使用者に係る本人顔画像を退室リーダにより無効化するように構成する。そして、建物の中には、第２カメラを備えた各種機器を設け、建物の中では使用者が顔認証のみで各種機器を使用できるようにしてもよい。
【００６８】
（９）前記各実施形態では、一つの出入口２に入室リーダ３と退室リーダ４を設けたが、入室専用の入口と退室専用の出口を別々に設け、入口には入室リーダを、出口には退室リーダをそれぞれ設けて構成してもよい。
【図面の簡単な説明】
【００６９】
【図１】建物の中の管理部屋を示す斜視図。
【図２】入室リーダを示す正面図。
【図３】顔認証書庫を示す正面図。
【図４】入室リーダに係る電気的構成を示すブロック図。
【図５】顔認証書庫に係る電気的構成を示すブロック図。
【図６】セキュリティシステムの全体を示すブロック図。
【図７】セキュリティシステムを構成する各種機器の配置、接続関係を示す概略図。
【図８】制御装置の制御内容を示すフローチャート。
【図９】制御装置の制御内容を示すフローチャート。
【図１０】セキュリティシステムの各種機器の配置及び接続関係を示す概略図。
【図１１】セキュリティシステムの各種機器の配置及び接続関係を示す概略図。
【符号の説明】
【００７０】
１    管理部屋
２    出入口
３    入室リーダ
４    退室リーダ（本人識別手段、解錠・無効化手段）
５    扉
６    電気錠
７    顔認証貴重品ロッカー（各種機器）
８    顔認証金庫（各種機器）
９    顔認証書庫（各種機器）
１０    専用リーダ（識別情報入力手段）
１２    入力装置（識別情報入力手段）
１５    個人認証装置（識別情報入力手段）
１６    第１カメラ（第１撮影手段）
１７ａ〜１７ｄ    赤外線ライト（第１撮影手段）
１９    制御装置（第１撮影手段、解錠制御手段）
２０    記憶装置（顔画像記憶手段）
２４    制御装置（第１撮影手段、第２撮影手段、使用許可手段）
２５    記憶装置（顔画像記憶手段）
２９    入力装置（識別情報入力手段）
３０    個人認証装置（識別情報入力手段）
３１    第２カメラ（第１撮影手段、第２撮影手段）
３２ａ〜３２ｄ    赤外線ライト（第１撮影手段、第２撮影手段）
【図１】
2007233916.tif 000003
【図２】
2007233916.tif 000004
【図３】
2007233916.tif 000005
【図４】
2007233916.tif 000006
【図５】
2007233916.tif 000007
【図６】
2007233916.tif 000008
【図７】
2007233916.tif 000009
【図８】
2007233916.tif 000010
【図９】
2007233916.tif 000011
【図１０】
2007233916.tif 000012
【図１１】
2007233916.tif 000013